【手続補正書】
【提出日】平成18年5月29日(2006.5.29)
【手続補正１】
【補正対象書類名】明細書
【補正対象項目名】発明の名称
【補正方法】変更
【補正の内容】
【発明の名称】撮像装置、固体撮像素子の駆動方法
【手続補正２】
【補正対象書類名】明細書
【補正対象項目名】特許請求の範囲
【補正方法】変更
【補正の内容】
【特許請求の範囲】
【請求項１】
ｎ行ｍ列（ｎは１以上でかつｍは３以上の自然数）に配列された複数の光電変換素子と、読み出し信号に従って前記複数の光電変換素子の各々から光電変換された信号電荷を読み出し、垂直転送信号に従って前記信号電荷の垂直転送を行う垂直転送部と、水平転送信号の停止期間に前記垂直転送部から転送された前記信号電荷を、水平転送信号のＨｉｇｈレベルおよびＬｏｗレベルの繰り返し期間に水平転送する水平転送部と、前記読み出し信号、前記垂直転送信号、および前記水平転送信号を発生するタイミング発生部とを備えた撮像装置であって、
前記タイミング発生部は、前記水平転送信号の停止期間が終了した後、前記水平転送信号の最初からｋ番目（ｋは１≦ｋ、２×ｋ＜ｍを満足する整数）のＨｉｇｈおよびＬｏｗレベルの期間をそれぞれ（ｋ＋１）番目以後のＨｉｇｈおよびＬｏｗレベルの期間よりも長く設定することを特徴とする撮像装置。
【請求項２】
２次元状に配列された複数の光電変換素子と、読み出し信号に従って前記複数の光電変換素子の各々から光電変換された信号電荷を読み出し、垂直転送信号に従って前記信号電荷の垂直転送を行う垂直転送部と、水平転送信号の停止期間に前記垂直転送部から転送された前記信号電荷を、水平転送信号のＨｉｇｈレベルおよびＬｏｗレベルの繰り返し期間に水平転送する水平転送部と、前記読み出し信号、前記垂直転送信号、および前記水平転送信号を発生するタイミング発生部とを備えた撮像装置であって、
前記タイミング発生部は、前記水平転送信号の停止期間にのみ、前記水平転送信号と同一の、ＨｉｇｈレベルおよびＬｏｗレベルの繰り返し周期を有するパルス信号を出力することを特徴とする撮像装置。
【請求項３】
前記タイミング発生部は、それぞれ並列に接続されて、前記水平転送信号と同一の、ＨｉｇｈレベルおよびＬｏｗレベルの繰り返し周期を有する前記パルス信号を出力する複数の出力バッファを備え、前記複数の出力バッファのうち任意数の出力バッファを活性化する請求項２記載の撮像装置。
【請求項４】
ｎ行ｍ列（ｎは１以上でかつｍは３以上の自然数）に配列された複数の光電変換素子と、読み出し信号に従って前記複数の光電変換素子の各々から光電変換された信号電荷を読み出し、垂直転送信号に従って前記信号電荷の垂直転送を行う垂直転送部と、水平転送信号の停止期間に前記垂直転送部から転送された前記信号電荷を、水平転送信号のＨｉｇｈレベルおよびＬｏｗレベルの繰り返し期間に水平転送する水平転送部とを備えた固体撮像素子の駆動方法であって、
前記水平転送信号の停止期間が終了した後、前記水平転送信号の最初からｋ番目（ｋは１≦ｋ、２×ｋ＜ｍを満足する整数）のＨｉｇｈおよびＬｏｗレベルの期間をそれぞれ（ｋ＋１）番目以後のＨｉｇｈおよびＬｏｗレベルの期間よりも長く設定することを特徴とする固体撮像素子の駆動方法。
【請求項５】
２次元状に配列された複数の光電変換素子と、読み出し信号に従って前記複数の光電変換素子の各々から光電変換された信号電荷を読み出し、垂直転送信号に従って前記信号電荷の垂直転送を行う垂直転送部と、水平転送信号の停止期間に前記垂直転送部から転送された前記信号電荷を、水平転送信号のＨｉｇｈレベルおよびＬｏｗレベルの繰り返し期間に水平転送する水平転送部とを備えた固体撮像素子の駆動方法であって、
前記水平転送信号の停止期間にのみ、前記水平転送信号と同一の、ＨｉｇｈレベルおよびＬｏｗレベルの繰り返し周期を有するパルス信号を出力することを特徴とする固体撮像素子の駆動方法。
【手続補正３】
【補正対象書類名】明細書
【補正対象項目名】０００１
【補正方法】変更
【補正の内容】
【０００１】
【発明の属する技術分野】
本発明は、撮像装置、および固体撮像素子の駆動方法に関する。
【手続補正４】
【補正対象書類名】明細書
【補正対象項目名】００１０
【補正方法】変更
【補正の内容】
【００１０】
そこで、本発明の目的は、高速駆動時や固体撮像素子の画素数が多い場合にも水平転送効率の低下によりＦＰＮを発生することなく、また信号処理による補正の必要とせず、固体撮像素子から良好な映像出力を容易に得ることが可能な撮像装置、および固体撮像素子の駆動方法を提供することにある。
【手続補正５】
【補正対象書類名】明細書
【補正対象項目名】００１１
【補正方法】変更
【補正の内容】
【００１１】
【課題を解決するための手段】
前記の目的を達成するため、本発明に係る第１の撮像装置は、ｎ行ｍ列（ｎは１以上でかつｍは３以上の自然数）に配列された複数の光電変換素子と、読み出し信号に従って複数の光電変換素子の各々から光電変換された信号電荷を読み出し、垂直転送信号に従って信号電荷の垂直転送を行う垂直転送部と、水平転送信号の停止期間に垂直転送部から転送された信号電荷を、水平転送信号のＨｉｇｈレベルおよびＬｏｗレベルの繰り返し期間に水平転送する水平転送部と、読み出し信号、垂直転送信号、および水平転送信号を発生するタイミング発生部とを備えた撮像装置であって、タイミング発生部は、水平転送信号の停止期間が終了した後、水平転送信号の最初からｋ番目（ｋは１≦ｋ、２×ｋ＜ｍを満足する整数）のＨｉｇｈおよびＬｏｗレベルの期間をそれぞれ（ｋ＋１）番目以後のＨｉｇｈおよびＬｏｗレベルの期間よりも長く設定することを特徴とする。
【手続補正６】
【補正対象書類名】明細書
【補正対象項目名】００１３
【補正方法】変更
【補正の内容】
【００１３】
前記の目的を達成するため、本発明に係る第２の撮像装置は、２次元状に配列された複数の光電変換素子と、読み出し信号に従って複数の光電変換素子の各々から光電変換された信号電荷を読み出し、垂直転送信号に従って信号電荷の垂直転送を行う垂直転送部と、水平転送信号の停止期間に垂直転送部から転送された信号電荷を、水平転送信号のＨｉｇｈレベルおよびＬｏｗレベルの繰り返し期間に水平転送する水平転送部と、読み出し信号、垂直転送信号、および水平転送信号を発生するタイミング発生部とを備えた撮像装置であって、タイミング発生部は、水平転送信号の停止期間にのみ、水平転送信号と同一の、ＨｉｇｈレベルおよびＬｏｗレベルの繰り返し周期を有するパルス信号を出力することを特徴とする。
【手続補正７】
【補正対象書類名】明細書
【補正対象項目名】００１５
【補正方法】変更
【補正の内容】
【００１５】
第２の撮像装置において、タイミング発生部は、水平転送信号と同一の、ＨｉｇｈレベルおよびＬｏｗレベルの繰り返し周期を有するパルス信号を出力する複数の出力バッファを備え、複数の出力バッファのうち任意数の出力バッファを活性化することが好ましい。
【手続補正８】
【補正対象書類名】明細書
【補正対象項目名】００１６
【補正方法】変更
【補正の内容】
【００１６】
この構成によれば、複数種類の固体撮像素子を駆動する場合や各固体撮像素子の負荷容量に応じて出力バッファの駆動能力を制御することが可能となる。
本発明に係る第１の固体撮像素子の駆動方法は、ｎ行ｍ列（ｎは１以上でかつｍは３以上の自然数）に配列された複数の光電変換素子と、読み出し信号に従って前記複数の光電変換素子の各々から光電変換された信号電荷を読み出し、垂直転送信号に従って前記信号電荷の垂直転送を行う垂直転送部と、水平転送信号の停止期間に前記垂直転送部から転送された前記信号電荷を、水平転送信号のＨｉｇｈレベルおよびＬｏｗレベルの繰り返し期間に水平転送する水平転送部とを備えた固体撮像素子の駆動方法であって、前記水平転送信号の停止期間が終了した後、前記水平転送信号の最初からｋ番目（ｋは１≦ｋ、２×ｋ＜ｍを満足する整数）のＨｉｇｈおよびＬｏｗレベルの期間をそれぞれ（ｋ＋１）番目以後のＨｉｇｈおよびＬｏｗレベルの期間よりも長く設定することを特徴とする。
本発明に係る第２の固体撮像素子の駆動方法は、２次元状に配列された複数の光電変換素子と、読み出し信号に従って前記複数の光電変換素子の各々から光電変換された信号電荷を読み出し、垂直転送信号に従って前記信号電荷の垂直転送を行う垂直転送部と、水平転送信号の停止期間に前記垂直転送部から転送された前記信号電荷を、水平転送信号のＨｉｇｈレベルおよびＬｏｗレベルの繰り返し期間に水平転送する水平転送部とを備えた固体撮像素子の駆動方法であって、前記水平転送信号の停止期間にのみ、前記水平転送信号と同一の、ＨｉｇｈレベルおよびＬｏｗレベルの繰り返し周期を有するパルス信号を出力することを特徴とする。